(57)【要約】      （修正有）【課題】  切断機を真っ直ぐに移動させるための案内板の案内凸部と切断機側の案内凹部との間のガタツキを抑制するためのガタツキ調整機構をもつ操作性のよい切断機の案内装置を提供する。【解決手段】  切断機側の案内凹部３ａの側部に規制部材１７を配置し、この規制部材１７を調整ねじ１６の回転操作に伴う傾斜面１６ａの変位により拡径させて案内凸部１１ａの側面に押し付けることにより、案内凸部１１ａと案内凹部３ａとの間の隙間をなくす構成とする。これにより、調整ねじ１６の回転操作のみで切断幅方向のガタツキをなくして切断機を真っ直ぐに移動させることができる。【選択図】        図２
2006334886.tif 000002
【特許請求の範囲】
【請求項１】
切断材の上面に沿って移動させて該切断材を切断する切断機を切断方向に沿って案内するための案内装置であって、
前記切断方向に沿って延びる案内凸部を備えた案内板と、前記切断機に設けられ、該案内凸部が嵌め込まれる案内凹部と、該案内凹部側に設けられて前記案内凸部に対して押し付けられる規制部材と、該規制部材を前記案内凸部に対して押し付けるガタツキ調整機構を備え、
該ガタツキ調整機構は、ねじ軸と該ねじ軸の締め込み方向に対して傾斜する傾斜面を備えた調整ねじを備え、該調整ねじの回転操作による前記ねじ軸の締め込みに伴う前記傾斜面の作用により前記規制部材を前記案内凸部に対して押し付ける構成とした案内装置。
【請求項２】
請求項１記載の案内装置であって、前記傾斜面は前記調整ねじの全周にわたって設け、該傾斜面の周囲に弾性リングを前記規制部材として配置し、前記調整ねじの締め込みによる前記傾斜面の変位により前記規制部材を弾性に抗して拡径させて前記案内凸部に押し付ける構成とした案内装置。
【発明の詳細な説明】
【技術分野】
【０００１】
この発明は、作業者が手に持って移動させて切断材を切断する携帯型の切断機を直線移動させるための案内装置に関する。
【背景技術】
【０００２】
作業者が切断機本体を切断材に載置して移動させることにより、切断材の上面に当接させたベースから下方へ突き出した切断刃により切断材が切断される携帯型の切断機には、切断機本体を直線に沿って真っ直ぐに移動させるための案内装置を備えたものが提供されている。
一般に、この案内装置は、切断方向に延びる直線形状の案内凸部を上面側に備えた案内板と、上記ベース側に設けた案内凹部を備え、この案内凹部に案内凸部を進入させた状態で当該切断機を案内板の上面側で移動させることにより、当該切断機を切断方向に沿って真っ直ぐに移動させることができるように構成されている。
このような案内装置においては、案内凸部と案内凹部との間の摺動性を確保するために適切なクリアランス（隙間）が必要となるが、このクリアランスが大きいと切断方向に直交する方向のガタツキとなって切断機本体の直進性が損なわれる。
従来この問題を解消するための技術が、例えば特開平１１−３００７０３号公報に開示されている。この従来技術を、同公報の図２を援用した図８に示した。この従来技術によれば、切断機のベース側にブラケット３５を介して取り付けた案内部材３６の案内凹部３６ａ内に調整部品３１を切断方向に直交する方向に移動可能に設け、この調整部品３１を移動させることにより当該案内凹部３０ａの幅（案内幅Ｌ）を調整して案内板３４の上面に切断方向に沿って設けた案内凸部３２との間のガタツキを解消する構成を備えていた。
【特許文献１】特開平１１−３００７０２号公報
【発明の開示】
【発明が解決しようとする課題】
【０００３】
しかしながら、上記従来の案内装置３０では、主としてその操作性について改善すべき点があった。すなわち、上記従来の案内装置３０における調整部材３１は、切断方向前後に設けた固定ねじ３７，３７（一方は図示省略されいる）を緩めることにより案内凹部３６ａ内をその幅方向に移動させて案内幅Ｌを調整することができ、さらにこの調整した状態の調整部材３１の位置を保持しつつ前後の固定ねじ３７，３７を締め込むことにより当該調整部材３１の位置を固定して案内幅Ｌを固定する構成となっていた。このため、前後の固定ねじ３７，３７を緩めたり締め込む操作、あるいは調整部材３１の調整位置を保持しつつ固定ねじ３７，３７を締め込む操作が面倒であり、この点で操作性（使い勝手）を改善する必要があった。
本発明は、この問題を解消するためになされたもので、操作性のよいガタツキ調整機構を備えた案内装置を提供することを目的とする。
【課題を解決するための手段】
【０００４】
本発明は、この課題を解決するために、特許請求の範囲の各請求項に記載した構成の案内装置とした。
請求項１記載の案内装置によれば、調整ねじを締め込み方向に回転操作すれば規制部材が案内凸部に押し付けられることにより、当該案内凸部と案内凹部との間の隙間を極力小さくすることができるので切断幅方向のガタツキが抑制されて、切断機を切断幅方向にガタツキのない状態で移動させることができる。このようにガタツキ調整機構の調整ねじを回転操作するのみの簡単な操作で案内凸部と案内凹部との間の隙間を極力小さくし若しくはなくすことができるので、当該ガタツキ調整機構の操作性を従来よりもよくすることができる。
請求項２記載の案内装置によれば、径方向に弾性力を有する弾性リングを使用することで簡単な構成により上記の作用効果を得ることができる。
【発明を実施するための最良の形態】
【０００５】
次に、本発明の実施形態を図１〜図７に基づいて説明する。図１は、以下説明する案内装置１０を備えた切断機１の全体を示している。以下説明する実施形態では、切断機の一例としていわゆるプランジマルノコと称される携帯形の丸鋸盤を例示する。
この切断機１は、電動モータ４により回転する円形の鋸刃（図では見えていない）を備えた切断機本体２と、この切断機本体２を上面側に支持するベース３を備えている。本実施形態において切断機本体２については従来構成と同様で足り、特に変更を要しないので詳細な説明は省略する。なお、図中符号５は、切断機本体２のブレードケースを示している。このブレードケース５内に、円形の鋸刃が回転可能に収容されている。鋸刃は、ベース３に設けた窓部を経てその下面側に突き出されている。また、ブレードケース５の背面側（図１において手前側）から電動モータ４が突き出されている。この電動モータ４の上部には、作業者が把持するハンドル部６が設けられれている。また、図示は省略されているが、鋸刃の下側は、ベース３の下面から突き出されている。作業者は図１において切断機１の右側に位置し、この位置でハンドル部６を把持して当該切断機１を切断材（図では省略されている）の上面に沿って図示左側に移動させることにより、鋸刃のベース３の下面側に突き出された部分で切断材が切断されていく。
さて、本実施形態における案内装置１０は、切断作業時に切断材の上面に載せ掛けられる案内板１１と、切断機１のベース３に設けられた案内部１２を備えている。
案内板１１は、図示するように切断方向に長い矩形の平板形状をなすもので、その上面に案内凸部１１ａが設けられている。この案内凸部１１ａは、案内板１１の切断方向前端から後端に至る全範囲にわたって連続して設けられている。本実施形態では、この案内板１１は、アルミニウムの引き抜き材を素材として製作されている。
この案内板１１の上面に切断機１が載せ掛けられている。図１では見えていないが、切断機１の切断刃は、ベース３の窓部を経てこの案内板１１の側方から下方へ突き出されている。
案内板１１の上面にベース３が重ね合わせられている。ベース３の下面には、下方に開放するコ字形の案内凹部３ａが切断方向に沿って設けられている。この案内凹部３ａ内に、案内板１１の案内凸部１１ａが嵌り込んでいる。相対的に案内凸部１１ａが案内凹部３ａ内において移動することにより、切断機１が案内凸部１１ａに沿って案内される。案内凸部１１ａの両側面は、相互に平行な平坦面に形成されており、それぞれ予め精確に直線に沿って形成されている。
【０００６】
この案内凹部３ａの切断方向前寄り及び後ろ寄りの２箇所には、ガタツキ調整機構１３，１３が設けられている。両ガタツキ調整機構１３，１３は同じ構成を備えている。図２には切断方向前寄り（図１において左側）のガタツキ調整機構１３の詳細が示されている。
ベース３の上面であって、案内凹部３ａの側部には、円筒形状の壁部３ｂが形成されている。この円筒壁部３ｂの中心にはボス部３ｃが設けられている。このボス部３ｃの中心にはねじ孔３ｄが形成されている。このねじ孔３ｄには、指先で摘んでねじ締め方向又はねじ緩め方向に回転操作する調整ねじ１６のねじ軸１６ｂがねじ込まれている。この調整ねじ１６をねじ締め込み方向に回転させると、ねじ軸１６ｂがボス部３ｃのねじ孔３ｄに対して締め込まれるため、当該調整ねじ１６が下方（円筒壁部３ｂ内に進入する方向）へ変位する。調整ねじ１６をねじ緩め方向に回転させると、ねじ軸１６ｂがねじ孔３ｄに対して緩められるので、調整ねじ１６が上方（円筒壁部３ｂ内から出る方向）へ変位する。
調整ねじ１６の下側外周角部には、その全周にわたって傾斜面１６ａが形成されている。傾斜面１６ａは、ねじ軸１６ｂに対してほぼ４５°に傾斜している。この傾斜面１６ａと、円筒壁部３ｂの内側底部との間に、規制部材１７が挟み込まれている。本実施形態では、この規制部材１７に、径方向に弾性を有するゴム製の弾性リングが用いられている。また、円筒壁部３ｂの底部付近には、一部が欠落されてなる規制窓部３ｅが形成されている。この規制窓部３ｅを経て、円筒壁部３ｂの内側が前記案内凹部３ａに連通されている。この規制窓部３ｅを経て上記規制部材１７が案内凹部３ａ側に露出されている。
本実施形態において、上記調整ねじ１６、ねじ軸１６ｂ、規制部材１７、円筒壁部３ｂの規制窓部３ｅ等がガタツキ調整機構１３を構成している。
【０００７】
以上のように構成した案内装置１０によれば、切断機１のベース３に設けた案内凹部３ａ内に、案内板１１の案内凸部１１ａが、切断方向の少なくとも前後２箇所において切断方向に直交する方向にほぼ隙間のない状態若しくは極力隙間を小さくした状態に嵌め込まれており、この状態で当該切断機１が案内板１１の上面に載せ掛けられている。このため、切断機１を切断方向に移動させると、案内凹部３ａが案内凸部１１ａに案内されることにより、当該切断機１を精確に直線に沿って移動させることができ、これにより高精度の直線切りを行うことができる。
しかも、本実施形態の案内装置１０によれば、調整ねじ１６を締め込み方向に回転操作すると、ねじ軸１６ｂがねじ孔３ｄに締め込まれて当該調整ねじ１６が下方へ変位する。調整ねじ１６が下方へ変位すると、その傾斜面１６ａが下方へ変位する。調整ねじ１６の傾斜面１６ａが下方へ変位すると、当該傾斜面１６ａと円筒壁部３ｂの底部との間に挟み込まれた規制部材１７が傾斜面１６ａの傾斜作用により押し広げられて拡径する。規制部材１７は、拡径されると、その一部が規制窓部３ｅを経て案内凹部３ａ内に入り込む。規制部材１７は拡径してその一部が案内凹部３ａ内に入り込むと、案内凸部１１ａに側部に押し付けられる。
このように切断方向の前後２箇所に設けたガタツキ調整機構１３，１３の調整ねじ１６，１６の回転操作によりそれぞれ規制部材１７が案内凸部１１ａの一方の側部に押し付けられることにより、結果的に案内凸部１１ａの他方の側部に案内凹部３ａの側部が押し付けられ、これにより案内凸部１１ａの側部と案内凹部３ａの両側部との間の隙間をゼロにすることができ、若しくは可能な限り隙間を小さくすることができる。切断方向の前後２箇所において案内凸部１１ａと案内凹部３ａとの隙間がなくなることから、案内凸部１１ａに対する案内凹部３ａの切断方向に直交する方向のガタツキが抑制若しくは除去されるので、切断機１を切断幅方向にガタツキなく精確に直線に沿って移動させることができ、ひいては高精度の直線切りを行うことができる。
以上のことから、本実施形態によれば、切断方向の前後２箇所に設けたガタツキ調整機構１３，１３の調整ねじ１６，１６を回転させる操作のみによって案内凸部１１ａに対する案内凹部３ａのガタツキをなくすことができることから、当該ガタツキ調整機構１３，１３の操作性を従来よりも高めることができる。
【０００８】
案内凸部１１ａの側部に対する案内凹部３ａの側部の押し付け力及び規制部材１７の押し付け力は、調整ねじ１６の回転操作量ひいてはねじ軸１６ｂのねじ孔３ｄに対する締め込み量によって任意に調整することができる。
調整ねじ１６の締め込み方向の回転操作量を大きくすると、ねじ軸１６ｂのねじ孔３ｄに対する締め込み量が大きくなって傾斜面１６ａがより下方へ変位することから、規制部材１７がより大きく拡径して案内凸部１１ａに対してより大きな力で押し付けられる。このため、この場合には、案内凹部３ａの側部が案内凸部１１ａの側部により大きな力で押し付けられることから、この押し付け力が摺動抵抗となって切断機１の案内板１１に対する移動操作が重くなり、若しくは移動不能に固定することができる。
逆に、図４及び図５に示すように調整ねじ１６の緩め方向の回転操作量を大きくすると、ねじ軸１６ｂのねじ孔３ｄに対する締め込み量が小さくなって傾斜面１６ａが上方へ変位することから、規制部材１７の拡径量が小さくなって案内凸部１１ａに対する押し付け力が小さくなり、これにより切断機１を軽い力で移動させることができる。
また、調整ねじ１６をさらに緩め方向に回転操作して、傾斜面１６ａをさらに上方へ変位させると規制部材１７の案内凸部１１ａに対する押し付けが解除される。
以上説明したように、本実施形態の案内装置１０によれば、調整ねじ１６の回転操作のみによって、案内凸部１１ａと案内凹部３ａとの間の隙間がゼロ若しくは極力小さくなって切断幅方向のガタツキのない状態にすることができる。しかも、調整ねじ１６の回転操作量（締め込み量）を適切に調整することにより、規制部材１７の案内凸部１１ａに対する押し付け力を任意に調整することができ、ひいては切断作業時において切断機１を移動させるために必要な操作力を例えば作業内容や作業者の好みに応じて任意に調整することができる。
【０００９】
以上説明した実施形態には種々変更を加えることができる。例えば、規制部材１７としてゴム製の弾性リングを例示したが、弾性リングの別形態として図６及び図７に示すように切り欠き１８ａを有するＣ字形の樹脂製リングを規制部材１８として用いることができる。この規制部材１８も拡径方向に弾性を有している。この規制リング１８の外周面１８ｃは、その中心軸線に対して平行な面に形成されている。このため、調整ねじ１６の回転操作によりこの規制部材１８を弾性に抗して拡径させて案内凸部１１ａの側面に線当たり状態で押圧することができるので、より確実に案内凸部１１ａに対する案内凹部３ａのガタツキをなくすことができる。
また、この規制部材１８の上面内周側に傾斜面１８ｂを設けておくことにより、調整ねじ１６の傾斜面１６ａに対して当該規制部材１８を面当たり状態若しくは線当たり状態で係合させることができるので、当該規制部材１８をスムーズに拡径若しくは縮径させることができ、この点で当該案内装置１０の確実な動作を長期間にわたって確保することができる。
さらに、切断方向の前後２箇所にガタツキ調整機構１３，１３を設ける構成を例示したが、１箇所あるいは３箇所以上に設ける構成としてもよい。
【図面の簡単な説明】
【００１０】
【図１】本発明の実施形態に係る案内装置を備えた切断機の全体斜視図である。
【図２】図１の(2)-(2)線断面矢視図であって、案内装置のガタツキ調整機構の縦断面図である。本図は、調整ツマミを締め込み方向に回転操作して規制部材を案内凸部に押し付け、これにより案内凹部との間のガタツキをなくした状態を示している。
【図３】ガタツキ調整機構を図２の(3)-(3)線断面矢視図である。
【図４】案内装置のガタツキ調整機構の縦断面図である。本図は、調整ツマミを緩め方向に回転操作して規制部材の案内凸部に対する押し付けを解除した状態を示している。
【図５】ガタツキ調整機構を図４の(5)-(5)線断面矢視図である。
【図６】本発明の別の実施形態に係るガタツキ調整機構の縦断面である。
【図７】図６に示した実施形態に用いる規制部材を単独で示した斜視図である。
【図８】従来の案内装置の斜視図である。本図は、特開平１１−３００７０２号公報の図２を援用した図である。
【符号の説明】
【００１１】
１…切断機（プランジマルノコ）
２…切断機本体
３…ベース
３ａ…案内凹部、３ｂ…円筒壁部、３ｃ…ボス部、３ｄ…ねじ孔、３ｅ…規制窓部
４…電動モータ
５…ブレードケース
６…ハンドル部
１０…案内装置
１１…案内板、１１ａ…案内凸部
１２…案内部
１３…ガタツキ調整機構
１５…ねじ軸
１６…調整ツマミ、１６ａ…傾斜面
１７…規制部材（ゴムリング）
１８…規制部材（Ｃ形樹脂製リング）
３０…従来の案内装置
３１…調整部材
３７…固定ねじ
Ｌ…案内幅（案内凹部の幅）
【図１】
2006334886.tif 000003
【図２】
2006334886.tif 000004
【図３】
2006334886.tif 000005
【図４】
2006334886.tif 000006
【図５】
2006334886.tif 000007
【図６】
2006334886.tif 000008
【図７】
2006334886.tif 000009
【図８】
2006334886.tif 000010